(57)【特許請求の範囲】
【請求項１】
２体構造のケースの内部から外部に引き出されるアンテナを収容するアンテナ収容部と、前記ケース内部に設けられたスイッチ等を外側から操作し得るように前記ケースの切欠部に形成された操作部を備えると共に、前記両ケース間にパッキンを設けて防水防塵構造とした携帯無線機において、
前記アンテナ収容部を下部に鍔部が設けられた高さ方向に長いドーム状の突起部として形成されると共に、該突起部は前記ケースの内側から外面に突出するように設けられたアンテナ収容部として構成し、
前記操作部を前記ケースの切欠部の内周面に形成された凹凸部に嵌合するように該操作部の外周面に凸凹部が形成された操作部として構成し、
前記パッキンを前記２体構造の両ケースのつき合される対向面に形成された凹凸部に嵌合するように該パッキンの両側面に凸凹部が形状されたパッキンとして構成し、
前記アンテナ収容部、前記操作部及び前記パッキンを弾性変形する材料により環状に一体成形してパッキング部材を構成し、この環状をなすパッキング部材の前記アンテナ収容部、前記操作部及び前記パッキンがいずれも前記両ケース間に嵌着されて、これにより両ケース間の前記アンテナ収容部、前記操作部及びケース間のその他の部位を密閉構造に設定することを特徴とする携帯無線機の構造。
【請求項２】
前記操作部は該操作部の操作押圧部の周囲に所要深さの溝部が形成された請求項１に記載の携帯無線機の構造。
【請求項３】
前記アンテナ収容部，前記操作部及び前記パッキンを一体的に構成する前記パッキン部材をエラストマにより構成された請求項１又は２に記載の携帯無線機の構造。
【発明の詳細な説明】
【０００１】
【発明の属する技術分野】
本発明は、２体構造のケースの外部にアンテナ及び操作用スイッチが配置された携帯無線機の構造に関し、特に防水防塵機能を有する携帯無線機の構造に関するものである。
【０００２】
【従来の技術】
図６は従来の携帯無線機の全体の斜視図である。図６において、１は２体構造のケースであり、一方のケース１ａと他方のケース１ｂとで構成されている。２は図示していない例えば、基地局のアンテナと送受信するアンテナを収容するアンテナ収容部である。３は機器内部に設けられたスイッチ等を機器扱者がオンオフ等の制御を行うための操作部である。
【０００３】
図７はアンテナ収容部２のケースへの取付部の部分拡大断面図である。図７において、ケース１ａとケース１ｂとにそれぞれ半円形の突状部４が設けられ、両ケース１ａ，１ｂによって形成される円形の窪み５に、上方が内側にテーパを有する円筒状のアンテナ保護基台６がドーナツ形状の防水防塵用パッキン７を介して固定されている。このアンテナ保護基台６には、上端が塞がれた円筒状のアンテナ保護部８が固定され、その内部にプリント回路基板９の所要の回路に接続されたアンテナ１０が収容されている。なお、アンテナ保護基台６と防水防塵用パッキン７との間、及び防水防塵用パッキン７と両ケース１ａ，１ｂとの間は、接着剤によって固着されている。
【０００４】
図８は操作部３のケースへの取付部の部分拡大断面図である。図８において、ケース１ａ及びケース１ｂの端面の一部に矩形状の切欠部１１が設けられ、操作部３はこの両切欠部１１に跨がって設けられているものであり、ケース１ａ及びケース１ｂの内側に接着剤等で固着された防水防塵用パッキン１２に、操作部３が固定されている。この操作部３の底面部にはスイッチ制御用突起１３が設けられており、操作者が操作部３を押圧することにより防水防塵用パッキン１２が撓み、この制御用突起１３によりプリント回路基板１４に設けられたスイッチ１５を作動させるものである。なお、図８には一方のケース２１ａが示されているが、他方のケース２１ｂも同様な構造である。
【０００５】
図９はケース１ａとケース１ｂとの間の防水防塵構造を示す部分拡大断面図である。図９において、ケース１ａの端面全周に亘って凹部１６を形成すると共に、この凹部１６に対面するケース１ｂの端面全周に亘って凸部１７を形成させ、ケース１ａの凹部１６に帯状の防水防塵用パッキン１８を挿入した後、ケース１ａの凹部１６にケース１ｂの凸部１７を嵌入することにより、その凸部１７で防水防塵用パッキン１８を変形させ、防水防塵作用を持たせるようにしたものである。ただし、前述したアンテナ収容部２と操作部３の取付部は、防水防塵用パッキン７と１１によって両ケース１ａ，１ｂ間の防水防塵は達成されている。
【０００６】
【発明が解決しようとする課題】
しかしながら、従来の携帯無線機の防水防塵構造は、前述したようにアンテナ収容部２及びスイッチ等の操作部３の取付における部品点数が多く、構造が複雑であるため、組立，製作に多大な時間を必要とし、かつ部品点数の多さから品質の低下を招いていた。
本発明は、アンテナ収容部、スイッチ等の操作部及び２体構成のケース相互間の防水防塵を、一体成形されたパッキンを用いて行うことにより、部品点数を削減して組立を容易にすると共に、防水防塵機能を向上せしめ、当該機器の信頼性を高めたものである。
【０００７】
【課題を解決するための手段】
本発明による携帯無線機の構造は、２体構造のケースの内部から外部に引き出されるアンテナを収容するアンテナ収容部と、前記ケース内部に設けられたスイッチ等を外側から操作し得るように前記ケースの切欠部に形成された操作部を備えると共に、前記両ケース間にパッキンを設けて防水防塵構造とした携帯無線機において、前記アンテナ収容部を下部に鍔部が設けられた高さ方向に長いドーム状の突起部として形成されると共に、該突起部は前記ケースの内側から外面に突出するように設けられたアンテナ収容部として構成し、前記操作部を前記ケースの切欠部の内周面に形成された凹凸部に嵌合するように該操作部の外周面に凸凹部が形成された操作部として構成し、前記パッキンを前記２体構造の両ケースのつき合される対向面に形成された凹凸部に嵌合するように該パッキンの両側面に凸凹部が形状されたパッキンとして構成し、前記アンテナ収容部、前記操作部及び前記パッキンを弾性変形する材料により環状に一体成形してパッキング部材を構成し、この環状をなすパッキング部材の前記アンテナ収容部、前記操作部及び前記パッキンがいずれも前記両ケース間に嵌着されて、これにより両ケース間の前記アンテナ収容部、前記操作部及びケース間のその他の部位を密閉構造に設定することを特徴とするものである。
【０００８】
【発明の実施の形態】
図１は本発明による携帯無線機の構造の一実施例を示す斜視図である。図１において、２１は２体構造のケースであり、一方のケース２１ａと他方のケース２１ｂとで構成されている。２２は図示していない例えば、基地局のアンテナと送受信するアンテナを内部に収容するアンテナ収容部である。２３は機器内部に設けられたスイッチ等を機器扱者が外部からオンオフ等の制御を行うための操作部であり、この操作部２３の所定箇所を押圧することによりその部分が撓み、操作部２３の内側に突出している突状部によりスイッチ等を作動させるものである。２４はケース２１ａとケース２１ｂとの間に介在させてあるパッキンである。
【０００９】
前述したアンテナ収容部２２，操作部２３及びパッキン２４は、図２に示すように一体的な環状に成形されているものであり、このアンテナ収容部２２及び操作部２３は、パッキン２４と同様に弾性変形する例えば合成ゴムなどを含むエラストマにより構成されている。即ち、この一体成形されたアンテナ収容部２２，操作部２３及びパッキン２４を環状のパッキン部材２５として形成し、ケース２１ａとケース２１ｂとの間に嵌着させるようにしたものである。
【００１０】
次に、アンテナ収容部２２，操作部２３及びパッキン２４の構造と、ケース２１ａ及びケース２１ｂとの係合構造について説明する。
図３はアンテナ収容部２２のケース２１への取付構造を示す部分拡大断面図である。アンテナ収容部２２の下部には鍔部２２ａが設けられ、突出部２２ｂは高さ方向に長いドーム状に形成され、その内部にプリント回路基板２６の所要回路に接続されたアンテナ２７を収容する空間部２２ｃが形成されている。このアンテナ収容部２２は、ケース２１ａとケース２１ｂとに跨がって設けられるものであり、その鍔部２２ａを収容する両ケース２１ａ，２１ｂの該当部分には、円弧状の切込部２１ｃを有する挟持部２１ｄが形成されている。
【００１１】
この場合、図１に示されるように両ケース２１ａ，２１ｂのアンテナ収容部２２を突出させる部分には、当該アンテナ収容部２２を安定に保持するための膨出部２１ｅが両ケース２１ａ，２１ｂにそれぞれ約半周づつ設けられている。このアンテナ収容部２２の材質は、パッキン２４と同様な弾性変形する、例えば合成ゴムやエラストマにより構成されることが望ましい。なお、図３には一方のケース２１ａが示されているが、他方のケース２１ｂも同様の構成である。
図４（ａ）は操作部２３のケース２１への取付構造を示す部分拡大断面図であり、図４（ｂ）は操作部２３が取付けられる両ケース２１ａ，２１ｂに設けられた矩形状の切欠部２１ｆを示すものである。なお、図４（ｂ）に点線で示してあるのは、この部分に設けられる操作部２３とパッキン２４の仮想線を示しているものである。
【００１２】
図４（ａ）に示されているように方形の操作部２３の外周面には、両ケース２１ａ，２１ｂの切欠部２１ｆの内周面に形成された凸部２１ｇに係合する凹部２３ａが形成されており、この両者の嵌着によりこの部分の密閉構造が形成されることになる。この両ケース２１ａ，２１ｂの内周面に形成される凸部２１ｇと、操作部２３の外周面に形成される凹部２３ａの形状は、これに限定されるものではなく、凹凸を逆にしてもよい。またケース２１に凹凸を形成し、操作部２３にケース２１の凹凸に係合する凸凹を形成して係合を更に密にするようにしてもよく、係合部の形状は任意に選択できる。
【００１３】
操作部２３の内面側には、プリント回路基板２６に設けられた２つのスイッチ２８、２９を作動させるための制御用突起２３ｂ，２３ｃが設けられている。操作部２３の外面側には、前述した制御用突起２３ｂ，２３ｃと対向する位置に、操作者が押圧操作する押圧部２３ｄ，２３ｅが設けられている。この実施例では、押圧部２３ｄ，２３ｅが形成されている内外面の周囲に、所要の深さの溝２３ｆ，２３ｇ，２３ｈ，２３ｉが設けられており、押圧操作がスムーズに行えるようにしている。この溝２３ｆ〜２３ｉは、操作部２３を構成する材質や厚さなどによって、操作部２３の片面に設けたり、或いは設けないでよい場合もある。この操作部２３の材質は、パッキン２４やアンテナ収容部２２の材質と同様な弾性変形する材料により構成される。
【００１４】
次に、アンテナ収容部２２と操作部２３以外の部分のケース２１ａとケース２１ｂとの係合構造について、図５に示した実施例の部分拡大断面図により説明する。図５はケース２１ａとケース２１ｂとの間に嵌着されるパッキン２４の形状を示すもので、ケース２１ａとケース２１ｂとが対向する端面２１ｊ，２１ｋには、それぞれ同様な凹凸部２１ｌ，２１ｍが形成されており、パッキン２４の両側面にはケース２１ａとケース２１ｂの凹凸部２１ｌ，２１ｍに係合する２つの凸部２４ａ，２４ｂと１つの凹部２４ｃがそれぞ形成されている。
【００１５】
なお、ケース２１ａ及びケース２１ｂとパッキン２４との係合部の凹凸形状は、図５に示した実施例に限定されるものではなく、例えば操作部２３と両ケース２１ａ，２１ｂとの凹凸形状のように、一方を凹部とし他方を凸部とする形状でもよく、密閉構造が形成されるものであれば、そのほか様々な凹凸形状にしてもよい。
前述した合成ゴムやエラストマなどの弾性材料よりなるアンテナ収容部２２，操作部２３及びパッキン２４は、２体構造のケース２１ａ，２１ｂ間を一体的に密閉する環状に形成されているものであり、組立工程における両ケース２１ａ，２１ｂの組立てが極めて容易に、かつ確実に行うことができる。
【００１６】
【発明の効果】
以上詳細に説明したように、従来のケースが２体構造の携帯無線機は、多くの部品点数で構成されると共に複雑な構造であるため、組立，製作に多大な時間を必要とし、かつ部品点数の多さから品質の低下を招いていたが、本発明によるケースが２体構造の携帯無線機においては、アンテナ収容部、スイッチ等の操作部及び２体構成のケース相互間に設けられる防水防塵用のパッキンを、一体成形によるパッキン部材としたことにより、大幅に部品点数を削減することができ、組立を容易にすると共に、防水防塵機能を向上せしめ、かつ当該無線機の信頼性を高めることができたものである。
【図面の簡単な説明】
【図１】本発明に係る携帯無線機の一実施例の全体的構造を示す斜視図である。
【図２】本発明に係る携帯無線機のケース相互間に嵌着されるアンテナ収容部，操作部を含むパッキン部材の側面図である。
【図３】本発明に係る携帯無線機のアンテナ収容部とケースとの構造を示す部分拡大断面図である。
【図４】本発明に係る携帯無線機の操作部とケースとの構造を示す部分拡大断面図である。
【図５】本発明に係る携帯無線機の２つのケースと両ケース相互間に嵌着されるパッキンとの構造を示す部分拡大断面図である。
【図６】従来の携帯無線機の全体的構造の一例を示す斜視図である。
【図７】従来の携帯無線機のアンテナ収容部とケースとの構造を示す部分拡大断面図である。
【図８】従来の携帯無線機の操作部とケースとの構造を示す部分拡大断面図である。
【図９】  従来の携帯無線機の２つのケースと両ケース相互間に嵌着されるパッキンとの構造を示す部分拡大断面図である。
【符号の説明】
１，２１  ケース
２，２２  アンテナ収容部
３，２３  操作部
４  半円形の突状部
５  円形の窪み
６  アンテナ保護基台
７，１２，１８  防水防塵用パッキン
８  アンテナ保護部
９，１４  プリント回路基板
１０，２７  アンテナ
１１  切欠部
１３  スイッチ制御用突起
１４，２６  プリント回路基板
１５，２８，２９  スイッチ
１６  ケースの凹部
１７  ケース１ｂの凸部
２４  パッキン
２５  環状のパッキン部材
【図１】
0003913058.tif 000002
【図２】
0003913058.tif 000003
【図３】
0003913058.tif 000004
【図４】
0003913058.tif 000005
【図５】
0003913058.tif 000006
【図６】
0003913058.tif 000007
【図７】
0003913058.tif 000008
【図８】
0003913058.tif 000009
【図９】
0003913058.tif 000010